(57)【要約】【課題】一眼レフカメラのクイックリターンミラーにおいて、メインミラー本体の取り付け位置の誤差を少なくするメインミラー構造体を提供する。【解決手段】一眼レフカメラのクイックリターンミラーを構成するメインミラー構造体１は、反射面を有するメインミラー本体１０を備える。メインミラー本体１０の背面と側面を囲む枠であり、メインミラー本体１０をミラー動作の回転軸２２が設けられる側から挿入するための挿入口２６と、挿入口２６を介したメインミラー本体１０の挿入後にメインミラー本体１０の反射面と背面を挟み込んで固定する挟み込み部材とを有するホルダー２０を備える。ホルダー２０の枠は、少なくとも、メインミラー本体１０の背面と対向する底部２１ＢＴと、メインミラー本体１０の回転軸２２から離れた側の側面と対向する側部（下側部２１ＬＷ）とを有する。【選択図】図１
2010266708.tif 000002
【特許請求の範囲】
【請求項１】
反射面を有するメインミラー本体と、
前記メインミラー本体の背面と側面を囲む枠であり、前記メインミラー本体をミラー動作の回転軸が設けられる側から挿入するための挿入口と、前記挿入口を介した前記メインミラー本体の挿入後に前記メインミラー本体の反射面と背面を挟み込んで固定する挟み込み部材とを有するホルダーとを備え、
前記ホルダーの枠は、少なくとも、前記メインミラー本体の背面と対向する底部と、前記メインミラー本体の前記回転軸から離れた側の側面と対向する側部とを有することを特徴とする一眼レフカメラのクイックリターンミラーを構成するメインミラー構造体。
【請求項２】
前記ホルダーは、前記ホルダーの背面側から接着剤を注入するために使用され、前記底部を貫通する接着穴を有し、前記メインミラー本体と前記底部の間に第１遮光シートが設けられることを特徴とする請求項１に記載のメインミラー構造体。
【請求項３】
前記接着剤が注入された後に、前記接着穴を前記ホルダーの背面側から塞ぐ第２遮光シートが設けられることを特徴とする請求項２に記載のメインミラー構造体。
【請求項４】
前記回転軸は、前記メインミラー本体を、前記挿入口を介して、前記ホルダーに挿入する際の挿入経路上に設けられ、前記メインミラー本体の挿入は、前記回転軸が前記ホルダーから外された状態で行われ、前記メインミラー本体が挿入された後に前記回転軸が前記ホルダーに取り付けられることを特徴とする請求項１に記載のメインミラー構造体。
【請求項５】
前記挟み込み部材は、前記メインミラー本体の挿入時に、前記メインミラー本体の反射面で且つ前記メインミラー本体の端部の一部に接触する爪部と、前記底部とで構成されることを特徴とする請求項１に記載のメインミラー構造体。
【発明の詳細な説明】
【技術分野】
【０００１】
本発明は、一眼レフカメラのクイックリターンミラーを構成するメインミラー構造体に関し、メインミラー本体の取り付け誤差を少なくする構造に関する。
【背景技術】
【０００２】
従来、特許文献１のように、一眼レフカメラのクイックリターンミラーを構成するメインミラー本体は、接着により、メインミラー本体を保持するホルダーに固定される。この場合、ホルダーのメインミラー本体の背面と対向する底部と、メインミラー本体の背面との間に接着剤が塗布される。
【先行技術文献】
【特許文献】
【０００３】
【特許文献１】特開２００６−１８９５３９号公報
【発明の概要】
【発明が解決しようとする課題】
【０００４】
しかし、メインミラー本体の厚さの誤差により、メインミラー本体の取り付け位置の誤差が発生するおそれがある。一眼レフカメラの場合、メインミラー本体の取り付け誤差は、ファインダーの視認性などに大きな影響を及ぼす。
【０００５】
したがって本発明の目的は、一眼レフカメラのクイックリターンミラーにおいて、メインミラー本体の取り付け位置の誤差を少なくするメインミラー構造体を提供することである。
【課題を解決するための手段】
【０００６】
本発明に係る一眼レフカメラのクイックリターンミラーを構成するメインミラー構造体は、反射面を有するメインミラー本体と、メインミラー本体の背面と側面を囲む枠であり、メインミラー本体をミラー動作の回転軸が設けられる側から挿入するための挿入口と、挿入口を介したメインミラー本体の挿入後にメインミラー本体の反射面と背面を挟み込んで固定する挟み込み部材とを有するホルダーとを備え、ホルダーの枠は、少なくとも、メインミラー本体の背面と対向する底部と、メインミラー本体の回転軸から離れた側の側面と対向する側部とを有する。
【０００７】
かかる挟み込みより、メインミラー本体がホルダーに固定される。メインミラー本体は、挟み込み部材により押さえつけられるため、メインミラー本体の厚さに誤差があったとしても、メインミラー本体の反射面は、挟み込み部材と接触する位置に固定される。このため、かかる挟み込み部材を使った押さえつけを行わない形態に比べて、メインミラー本体の取り付け位置の誤差を少なくすることが可能になる。
【０００８】
また、メインミラー本体の挿入口をホルダーの回転軸から離れた側に配置した場合には、マウント面から見た場合に、メインミラー本体の回転軸から離れた側の測面の反射光を遮光するため、及び挟み込みや接着による固定状態が弱くなった時にミラー動作時の遠心力によりメインミラー本体が外側方向（回転軸から離れた側方向）にずれることを防止するため、かかる回転軸から離れた側に設けられた挿入口を別部品で蓋をする必要があるが、挿入口をホルダーの回転軸が設けられる側に配置した場合には、そのような別部品を設ける必要がない。
【０００９】
好ましくは、ホルダーは、ホルダーの背面側から接着剤を注入するために使用され、底部を貫通する接着穴を有し、メインミラー本体と底部の間に第１遮光シートが設けられる。
【００１０】
挟み込みの後、接着穴を介した接着剤によって、さらに固定が確実なものにされる。挟み込みにより、メインミラー本体がホルダーに固定出来ているため、かかる挟み込みによる固定をしない形態に比べて、接着剤の注入量を抑えることも可能になる。また、接着穴を介して接着剤が注入されるため、凝固時にメインミラー本体の位置が厚さ方向に変動する恐れが少ない。
【００１１】
さらに好ましくは、接着剤が注入された後に、接着穴をホルダーの背面側から塞ぐ第２遮光シートが設けられる。
【００１２】
第２遮光シートにより、接着穴の接着剤の反射光が漏れ出るのを防ぐことが可能になる。
【００１３】
また、好ましくは、回転軸は、メインミラー本体を、挿入口を介して、ホルダーに挿入する際の挿入経路上に設けられ、メインミラー本体の挿入は、回転軸がホルダーから外された状態で行われ、メインミラー本体が挿入された後に回転軸がホルダーに取り付けられる。
【００１４】
挟み込みの後、回転軸が挿入経路上に取り付けられるため、挟み込みや接着による固定状態が弱くなった時に挿入口からメインミラー本体などが抜け出る恐れも回避出来る。
【００１５】
また、好ましくは、挟み込み部材は、メインミラー本体の挿入時に、メインミラー本体の反射面で且つメインミラー本体の端部の一部に接触する爪部と、底部とで構成される。
【発明の効果】
【００１６】
以上のように本発明によれば、一眼レフカメラのクイックリターンミラーにおいて、メインミラー本体の取り付け位置の誤差を少なくするメインミラー構造体を提供することができる。
【図面の簡単な説明】
【００１７】
【図１】本実施形態における組み立て前のメインミラー構造体の斜視図である。
【図２】本実施形態におけるメインミラー装着部を背面から見た図である。
【図３】本実施形態における組み立て後のメインミラー構造体の斜視図である。
【図４】図３のＡ−Ａ線の断面図である。
【図５】図４における第３ミラー押さえ爪の周囲の拡大図である。
【発明を実施するための形態】
【００１８】
以下、本実施形態について、図を用いて説明する。本実施形態における一眼レフカメラのクイックリターンミラーを構成するメインミラー構造体１は、鏡面が形成されたメインミラー本体１０、第１遮光シート１１、第２遮光シート１２、ホルダー２０を備える。なお、方向を示すために、メインミラー構造体１を一眼レフカメラのミラーボックスに装着した際に、マウント面から見える部分を正面とし、シャッタ側から見える部分を背面とする。
【００１９】
ホルダー２０は、メインミラー本体１０を圧入により保持する部材で、筐体２１、回転軸２２、第１〜第３接着穴２３ａ〜２３ｃ、遮光シート位置決め部２４、測距穴２５、第１〜第４ミラー押さえ爪２７ａ〜２７ｄを有する。
【００２０】
筐体２１は、メインミラー本体１０の背面、右側面、左側面、下側面を囲む枠であり、正面（マウント面側）から見て、底部２１ＢＴ、右側部２１ＲＳ、左側部２１ＬＳ、下側部２１ＬＷで、それぞれメインミラー本体１０の背面、右側面、左側面、下側面（メインミラー本体１０の回転軸２２から離れた側の側面）と対向する。筐体２１の上側（ミラー動作に使用する回転軸２２がある側）は、メインミラー本体１０や第１遮光シート１１を挿入するために使用される挿入口２６が設けられる。
【００２１】
筐体２１の、正面から見て、右側部２１ＲＳには、左方向に向かって突出する第１、第２ミラー押さえ爪２７ａ、２７ｂが設けられ、左側部２１ＬＳには、右方向に向かって突出する第３、第４ミラー押さえ爪２７ｃ、２７ｄが設けられる。第１〜第４ミラー押さえ枠２７ａ〜２７ｄには、底部２１ＢＴに向かって突出する、半円柱状の第１〜第４突起部２８ａ〜２８ｄが設けられる。
【００２２】
第１〜第４突起部２８ａ〜２８ｄと、底部２１ＢＴとの距離は、メインミラー本体１０と第１遮光シート１１の厚さの合計よりもやや少なくなるように、各部の大きさ位置が決定される。第１〜第４突起部２８ａ〜２８ｄ（第１〜第４ミラー押さえ爪２７ａ〜２７ｄ）と、底部２１ＢＴは、メインミラー本体１０と第１遮光シート１１を正面と背面で挟み込んで固定する挟み込み部材を構成する。
【００２３】
回転軸２２は、メインミラー本体１０を含むクイックリターンミラーの移動動作、すなわちミラーアップ動作やミラーダウン動作時に回転移動するための回転軸であり、正面から見て、筐体２１の上側に設けられる。また、回転軸２２は、メインミラー本体１０を、挿入口２６を介して、筐体２１に挿入する際の挿入経路上に設けられ、メインミラー本体１０の挿入は、回転軸２２が筐体２１から外された状態で行われ、メインミラー本体１０が挿入された後に回転軸２２が筐体２１に取り付けられる。
【００２４】
第１〜第３接着穴２３ａ〜２３ｃは、筐体２１の底部２１ＢＴを貫通する穴で、第１接着穴２３ａは、回転軸２２に近い側に設けられ、第２、第３接着穴２３ｂ、２３ｃは、回転軸２２から遠い側に設けられる。メインミラー本体１０と第１遮光シート１１が筐体２１に挿入された後、第１〜第３接着穴２３ａ〜２３ｃを介して、筐体２１の背面側から接着剤が注入され、第１遮光シート１１と筐体２１の底部２１ＢＴとが固着される。
【００２５】
第１遮光シート１１は、メインミラー本体１０を透過した光が第１〜第３接着穴２３ａ〜２３ｃを介して筐体２１の背面から漏れ出るのを防ぐために使用される。また、第１遮光シート１１は、メインミラー本体１０の厚み公差を考慮した厚さ調整のためにも使用される。具体的には、メインミラー本体１０が所定の厚さよりも薄い場合でも、第1遮光シート１１をメインミラー本体１０と底部２１ＢＴとの間に設けることで、第１〜第４突起部２８ａ〜２８ｄと底部２１ＢＴとで、がたつきが無い状態で、メインミラー本体１０を挟み込む固定が可能になる。
【００２６】
第２遮光シート１２は、接着剤の注入後に、筐体２１の背面に設けられた遮光シート位置決め部２４に取り付けられ、第１接着穴２３ａの接着剤の反射光が漏れ出るのを防ぐために使用される。なお、第２、第３接着穴２３ｂ、２３ｃには、第２遮光シート１２のような遮光シートは取り付けられない。第２、第３接着穴２３ｂ、２３ｃは、第１接着穴２３ａに比べて、シャッタからの距離が長いため、接着剤の反射光が漏れ出てもシャッタ後方の撮像面（またはフィルム面）に到達する可能性が低いためである。
【００２７】
測距穴２５は、筐体２１の底部２１ＢＴを貫通する穴で、マウント面側からのメインミラー本体１０の透過光が、筐体２１の背面（シャッタに近い側）に設けられたサブミラー（測距ミラー）に到達させるために設けられる。同様に、第１遮光シート１１にも、測距穴２５と同じ大きさの穴が設けられる。
【００２８】
本実施形態では、メインミラー本体１０の筐体２１への取り付けのために、メインミラー本体１０が、挿入口２６を介して、筐体２１に挿入されると、メインミラー本体１０の一部が第１〜第４突起部２８ａ〜２８ｄと接触し、第１遮光シート１１の一部が筐体２１の底部２１ＢＴと接触し、第１〜第４突起部２８ａ〜２８ｄと、筐体２１の底部２１ＢＴとで、メインミラー本体１０と第１遮光シート１１とが挟み込まれる。
【００２９】
かかる挟み込みより、メインミラー本体１０や第１遮光シート１１が筐体２１に固定される。挟み込みの後、第１〜第３接着穴２３ａ〜２３ｃを介した接着剤によって、さらに固定が確実なものにされる。挟み込みにより、メインミラー本体１０や第１遮光シート１１が筐体２１に固定出来ているため、かかる挟み込みによる固定をしない形態に比べて、接着剤の注入量を抑えることも可能になる。さらに、挟み込みの後、回転軸２２が挿入経路上に取り付けられるため、挟み込みや接着による固定状態が弱くなった時に挿入口２６からメインミラー本体１０などが抜け出る恐れも回避出来る。
【００３０】
また、メインミラー本体１０の反射面は、第１〜第４突起部２８ａ〜２８ｄに当て付けられて、ホルダー２０に対する位置が正確に規定される。メインミラー本体１０の厚さに誤差があったとしても、メインミラー本体１０の反射面は、第１〜第４突起部２８ａ〜２８ｄと接触する位置から変化しない。このため、かかる突起部を使った押さえつけを行わない形態に比べて、メインミラー本体１０の取り付け位置の誤差を少なくすることが可能になる。
【００３１】
第１〜第３接着穴２３ａ〜２３ｃを介して接着剤が注入されるため、凝固時にメインミラー本体１０の位置が厚さ方向に変動する恐れが少ない。
【００３２】
また、メインミラー本体１０の挿入口を筐体２１の下側（回転軸から離れた側）に配置した場合には、正面（マウント面側）から見た場合に、メインミラー本体１０の下側面（回転軸から離れた側の測面）の反射光を遮光するため、及び挟み込みや接着による固定状態が弱くなった時にミラー動作時の遠心力によりメインミラー本体１０が外側方向（下側方向（回転軸から離れた方向））にずれることを防止するため、かかる下側（回転軸から離れた側）に設けられた挿入口を別部品で蓋をする必要がある。しかしながら本実施形態のように、挿入口２６を筐体２１の上側（回転軸が設けられる側）に配置した場合には、メインミラー本体１０の上側面（回転軸が設けられる側の側面）は正面から見えないので遮光する必要性が少なく、遠心力でずれる可能性も低いので、そのような別部品を設ける必要がない。
【００３３】
また、本実施形態では、回転軸２２が、メインミラー本体１０の上側に配置される形態を説明したが、メインミラー本体１０の横側（右測または左側）に配置される形態であってもよい。この場合、メインミラー本体１０の右側面（または左側面）が、メインミラー本体１０の回転軸２２から離れた側の側面に相当し、ホルダー２０の右側部２１ＲＳ（または左側部２１ＬＳ）が、メインミラー本体１０の回転軸２２から離れた側の側面と対向する側部に相当する。
【符号の説明】
【００３４】
１  メインミラー構造体
１０  メインミラー本体
１１  第１遮光シート
１２  第２遮光シート
２０  ホルダー
２１  筐体
２２  回転軸
２３ａ〜２３ｃ  第１〜第３接着穴
２４  遮光シート位置決め部
２５  測距穴
２６  挿入口
２７ａ〜２７ｄ  第１〜第４ミラー押さえ爪
２８ａ〜２８ｄ  第１〜第４突起部
【図１】
2010266708.tif 000003
【図２】
2010266708.tif 000004
【図３】
2010266708.tif 000005
【図４】
2010266708.tif 000006
【図５】
2010266708.tif 000007